(57)【要約】      （修正有）【課題】プラスチック製の綴具本体に嵌め込み自在に一体化した吊り下げ用のタブを有する綴具を提供する。【解決手段】固定基板１０あるいは可動基板１４の何れか一方に、薄肉の連結部１２をその一部分として含む形で嵌め込みタブ２０が形成される。嵌め込みタブは固定部材の、薄肉連結部と連接する一部分をある範囲で切り込むことにより形成され、従って、嵌め込みタブは、可動基板と同じ連結部に沿った部分をその回転中心軸とはしつつも、可動基板とは独立して、ある範囲で廻動させることが可能となっている。【選択図】図１
0003112722.tif 000002
【実用新案登録請求の範囲】
【請求項１】
固定基板（１０、１００）と、薄肉連結部（１２、１０２、１１２）を介して該固定基板（１０、１００）と連結され且つ該薄肉連結部（１２、１０２、１１２）を回転中心軸として廻動自在の可動基板（１４、１０４、１０５）とを含み、固定基板及び可動基板の一方には自由端を有する複数の閉じ部材（１６、１０６）を設け、固定基板及び可動基板の他方には、前記閉じ部材と相対し且つ係合可能な受け部（１８、１０８）を設け、前記固定基板あるいは可動基板の前記薄肉連結部を含む一部分を、前記薄肉連結部を回転中心軸として廻動自在であり且つ吊り下げ用手段（２２）を有する嵌め込みタブ（２０、２００、２０２）とした綴具。
【請求項２】
薄肉連結部（１２、１０２、１１２）が、該薄肉連結部（１２、１０２、１１２）に沿って可動基板（１４、１０４、１０５）を廻動自在とするに充分な且つ製品寿命に渡りそうした廻動動作によっては破断しない厚さを有している請求項１の綴具。
【請求項３】
吊り下げ用手段（２２）が穴あるいは一部を切り欠いた穴である請求項１あるいは２に記載の綴具。
【請求項４】
嵌め込みタブ（２０、２００、２０２）が複数形成される請求項１〜３の何れか一つに記載の綴具。
【請求項５】
嵌め込みタブ（２０、２００、２０２）が、固定基板あるいは可動基板に無理嵌めあるいは摩擦嵌めされる請求項１〜４の何れか一つに記載の綴具。
【請求項６】
嵌め込みタブ（２０、２００、２０２）が、固定基板の上面側に回転支点を有する請求項１〜５の何れか一つに記載の綴具。
【考案の詳細な説明】
【技術分野】
【０００１】
本考案はルースリーフなどを綴じ込むための綴環等を有する綴具に関し、特には、吊り下げ用の穴あるいはフック部分を有するタブを廻動自在に嵌め込んだルースリーフ綴具に関する。
【背景技術】
【０００２】
従来の綴具には各種のものが知られており、本考案に関連するものとしては、バインダに固定する側の固定基板に可動基板を連接し、各基板の各外縁部に沿って、複数対の半綴環あるいはこれら半綴環の先端部を受ける受け部を左右に並べる形で配置して基板に一体化したものや、固定基板の一縁部に沿って第１可動基板を回転自在に連接し、この第１可動基板の一縁部に沿って更に可動基板を連接し、固定基板の一縁部に沿って複数対の半綴環を一体に設け、可動基板には前記半綴環を受ける受け部を一体に設けたものなどがある。
【０００３】
こうした従来の綴具を、例えば、壁のフック等に吊り下げ可能としたものでは、金属製の綴具の場合は吊り下げ用の穴を設けた別個の金属部片を綴具本体にスライド式に出し入れ自在に組み込んだものがあり、プラスチック製の綴具では、吊り下げ用の穴を設けたタブを綴具の側縁部から突出させた状態で綴具に一体的に設けたものなどがある。プラスチック製の綴具の場合でも、そうしたタブは綴具に出し入れ自在に設ける方が単独のパーツとして収納する場合の収納性の点で好ましい。しかし、その場合、金属製の綴具におけるように別の部材として形成したのでは製造上の手間や使用する材料が増えてしまう。
【考案の開示】
【考案が解決しようとする課題】
【０００４】
従って、解決しようとする課題は、プラスチック製の綴具本体に嵌め込み自在に一体化した吊り下げ用のタブを有する綴具を提供することである。
【課題を解決するための手段】
【０００５】
本考案によれば、
固定基板と、薄肉連結部を介してこの固定基板と連結され、前記薄肉連結部を回転中心軸として廻動自在の可動基板とを含み、固定基板及び可動基板の一方には自由端を有する複数の閉じ部材を設け、固定基板及び可動基板の他方には、前記閉じ部材と相対し且つ係合可能な受け部を設け、前記固定基板あるいは可動基板の、前記薄肉連結部を含む一部分を、前記薄肉連結部の周囲を回転中心軸として廻動自在であり且つ吊り下げ用手段を有する嵌め込みタブとした綴具が提供される。
前記固定基板、薄肉連結部及び可動基板は何れも同じプラスチック製であり、吊り下げ用手段は任意形状の穴あるいはフック状部分とすることができる。
【考案の効果】
【０００６】
吊り下げタブを綴具本体に嵌め込み自在に一体化したことにより、取り扱い上の利便性において優れ、また、出っ張りがないために単独パーツとしての収納性のみならず製造上の材料効率的においても優れた綴具が提供される。
【考案を実施するための最良の形態】
【０００７】
本考案の代表的な実施例を表す図１、図２及び図５及び図６を参照して説明する。
図１には、本考案の綴具（１）の全体斜視図が示されている。綴具（１）は、従来から使用されているものとほぼ同等の構成を有し、図示しないバインダーにハトメ等の適宜の締着部材を使用して固定される固定基板（１０）と、この固定基板の長手方向縁部に沿って一体に連接した薄肉連結部（１２）と、この薄肉連結部（１２）に沿って一体に連接され、結局、固定基板（１０）に連結される可動基板（１４）とを含んでいる。
【０００８】
薄肉連結部（１２）は、従来製品と同様に、この薄肉連結部（１２）をその回転の中心軸として可動基板（１４）を廻動自在とするに充分な、しかも綴具としての製品寿命に渡りそうした可動基板の廻動動作によっては破断を生じない撓み性及び厚さを有するものとされる。図示された実施例では、可動基板（１４）には先端部を有する複数の閉じ部材（１６）が可動基板と一体的に設けられ、他方、固定基板（１０）には、これらの閉じ部材（１６）と相対し且つその先端部分と係合自在とした受け部（１８）が固定基板と一体的に設けられる。そして前記固定基板（１０）あるいは可動基板（１４）の前記薄肉連結部（１２）を含む一部分が、図２及び図６に示すように前記薄肉連結部を回転中心軸として廻動自在であり且つ吊り下げ用手段（２２）を有する嵌め込みタブ（２０）として形成される。
【０００９】
図３に示すような他の実施例では固定基板（１００）に、中央基板、即ち第１可動基板（１０５）が、第１薄肉連結部（１０２）を介して廻動自在に連接され、この第１可動基板（１０５）に更に、第２薄肉連結部（１１２）を介して第２可動基板（１０４）が連接される。この実施例の場合、第２可動基板（１０４）ではなく固定基板（１００）に、例えば直立スタッド形態のものであり得る複数の閉じ部材（１０６）が固定基板と一体的に設けられ、可動基板には、それら閉じ部材の先端を受け且つ係合する受け部（１０８）が可動基板と一体的に形成され得る。そして図１及び図２の実施例における嵌め込みタブ（２０）と同様の嵌め込みタブ（２００）が、図３では固定基板（１００）に形成されている。
【００１０】
本考案の綴具は、前記各実施例の何れかあるいはその他の形態のものであり得るが、固定基板（１０、１００）、可動基板（１４、１０４、１０５）の何れかに、薄肉連結部（１２、１０２、１１２）をその構成の一部分として含む形で嵌め込みタブ（２０）を形成することができる。
嵌め込みタブは綴具を壁などに吊り下げるための部材として使用され得るが、特に図１及び図２の実施例の場合について詳しく説明すると、固定基板（１０）の一部を、固定基板が薄肉連結部（１２）と連接する部分を残すようにして、固定基板側をある範囲に渡り切り込むことにより形成される。
【００１１】
このようにして形成することで、嵌め込みタブ（２０）は、可動基板（１４）の回転中心軸となっている薄肉連結部（１２）に沿った部分を同様にその回転中心軸とはしながらも、可動基板（１４）とは独立して、例えば図２に示すようにほぼ１８０°あるいはそれ以上の回転範囲においてこの薄肉連結部（１２）を中心として廻動させることが可能となる。このように可動基板とは別個に自由に独立回転させ得ることから、嵌め込みタブ（２０）の廻動動作は綴具の開閉動作に支障を来すあるいは干渉するようなことがない。
【００１２】
嵌め込みタブ（２０）は、仮に図１及び図２に示す実施例の可動基板（１４）がもっと背の高い、即ち幅広のものである場合や、図３に示す実施例の場合では、固定基板側（１０、１００）ではなく、可動基板（１４、１０４、１０５）側に切り込むように（第１可動基板に切り込んだ状態を図３に一点鎖線で示す）して形成することも可能である、この場合も、その回転中心軸となる薄肉連結部（１２、１０２、１１２）は各可動基板におけるそれと同一となり、また嵌め込みタブの独立回転性にも変わりがないことから、先の場合と同様、可動基板（１４、１０４、１０５）の開閉動作に支障を来すあるいは干渉することはない。
【００１３】
嵌め込みタブ（２０、２００、２０２）には、この嵌め込みタブを利用して綴具（１）を壁面などに吊り下げ可能とするための吊り下げ用手段（２２）が形成される。吊り下げ用手段（２２）は、図１、図２及び図３の各実施例では何れも丸穴として示されているが、それ以外の任意の形状の穴、あるいは図４に示すように穴の周囲の一部を切り欠いたフック状部分とすることもできる。
【００１４】
あるいは、同一の薄肉連結部に沿って、強度上問題を生じない範囲において嵌め込みタブ（２０）を複数個、例えば、固定基板及び可動基板に各１つを設け、嵌め込みタブの１つには綴具吊り下げ用途以外の、例えばストラップあるいはタグなどを取り付けるなどといった用途を持たせることも可能である。また、嵌め込みタブに、基板に嵌め込んだ状態から引き出すのを容易化するための、つまみ用タブの如きを一体形成することもできる。また、嵌め込みタブ（２０、２００、２０２）は、必要に応じて、その回転支点を図７に示すように固定基板の上面側に位置付けることも可能である。
【００１５】
以上、本考案を実施例を参照して説明したが、本考案の内で種々の変更をなし得ることを理解されたい。例えば、嵌め込みタブ（２０）は、綴環式以外の綴じ込み手段を備えたプラスチック製バインダーなどにおいても、その構成基板に先に説明した如く切り込むことにより等しく形成し得るものである。
【図面の簡単な説明】
【００１６】
【図１】本考案による綴具の全体的な斜視図である。
【図２】図１の綴具の、嵌め込みタブを使用位置に廻動させた状態での図１と同様の全体的な斜視図である。
【図３】本考案の綴具の別態様の実施例の図１及び図２と同様の全体斜視図である。
【図４】フック状形態の嵌め込みタブを示す部分拡大斜視図である。
【図５】図１を線ａ−ａで切断した断面図である。
【図６】図２を線ｂ−ｂで切断した断面図である。
【図７】本考案の綴具の更に他の態様における実施例の、図６と同様の断面図である。
【符号の説明】
【００１７】
１  綴具
１０、１００  固定基板
１２  薄肉連結部
１４  可動基板
１６、１０６  閉じ部材
１８、１０８  受け部
２０、２００、２０２  嵌め込みタブ
２２  吊り下げ用手段
１０２  第１薄肉連結部
１０４  第２可動基板
１０５  第１可動基板
１１２  第２薄肉連結部
【図１】
0003112722.tif 000003
【図２】
0003112722.tif 000004
【図３】
0003112722.tif 000005
【図４】
0003112722.tif 000006
【図５】
0003112722.tif 000007
【図６】
0003112722.tif 000008
【図７】
0003112722.tif 000009